(57)【要約】【課題】簡易な構造でブラケットを確実に固定することを可能にするとともに、作業効率や安全性を向上すること。【解決手段】本発明では、機器本体の両側面には横溝と、この溝に非平行な縦溝とを形成し、ブラケットには、内側に凸出して横溝に挿通し得るレール状の凸条と、縦溝に挿入されて係合された係合状態と縦溝から引き抜かれた係合解除状態とに移動可能な縦溝係合部材とを設け、機器本体をブラケットに固定するときには、ブラケットの凸条を機器本体の横溝に挿通した後、ブラケットの縦溝係合部材を、機器本体の縦溝に挿入して係合状態とし、機器本体をブラケットから取り外すときには、ブラケットの縦溝係合部材を、機器本体の縦溝から引き抜いて係合解除状態とした後、ブラケットの凸条から機器本体の横溝を引き抜いて取り外すように構成した。【選択図】図１
2011027170.tif 000002
【特許請求の範囲】
【請求項１】
機器本体を所定位置に取り付けるためにブラケットを用いる取付け装置において、
機器本体の両側面には横溝と、この溝に非平行な縦溝とを形成し、
ブラケットには、内側に凸出して横溝に挿通し得るレール状の凸条と、縦溝に挿入されて係合された係合状態と縦溝から引き抜かれた係合解除状態とに移動可能な縦溝係合部材とを設け、
機器本体をブラケットに固定するときには、ブラケットの凸条を機器本体の横溝に挿通した後、ブラケットの縦溝係合部材を、機器本体の縦溝に挿入して係合状態とし、
機器本体をブラケットから取り外すときには、ブラケットの縦溝係合部材を、機器本体の縦溝から引き抜いて係合解除状態とした後、ブラケットの凸条から機器本体の横溝を引き抜いて取り外すように構成したことを特徴とするブラケット取付装置。
【請求項２】
前記縦溝係合部材を前記縦溝に挿入した係合状態で固定する係合状態固定手段を備えたことを特徴とする請求項１に記載のブラケット取付装置。
【請求項３】
前記縦溝係合部材は、縦溝に挿入されて係合された係合状態と縦溝から引き抜かれた係合解除状態とに横方向にスライド移動可能に設けられていることを特徴とする請求項１、２の何れか１項に記載のブラケット取付装置。
【請求項４】
前記縦溝係合部材には、横長の長孔が設けられているとともに、前記長孔に挿入されて締め付けることによって前記縦溝係合部材を固定し、緩めることによって前記縦溝係合部材をスライド可能に支持するネジが備えられていることを特徴とする請求項１、２、３の何れか１項に記載のブラケット取付装置。
【発明の詳細な説明】
【技術分野】
【０００１】
本発明は、電子機器本体などの機器本体を、ブラケットを用いて所定の取付け部に取り付けるための取付機構に関するものである。
【背景技術】
【０００２】
電子機器を固定部に取り付けるための取り付け機構としては、例えば、電子機器の筐体の両側面を、固定部に取り付けられたブラケットで挟み、前記ブラケットに遊挿したネジを、前記筐体の両側面に形成されたネジ孔にねじ込むことによって、前記電子機器を前記固定部に取り付けるように構成された取り付け機構が考えられる。
【０００３】
しかし、上述したような構成の取付機構の場合は、確かに、比較的大型の電子機器を取り付けるに十分な強度を持っているが、着脱に際して前記ネジを締めたり緩めたりするために、ブラケットの両側からドライバーを操作する必要がある。したがって、このようなドライバーを操作空間が確保しにくい乗用車のダッシュボードの下部空間などに採用することは望ましくない。
そこで、ブラケットの両側から操作することに代えて、ブラケットもしくは電子機器の正面側から取り付け、取り外しの作業が行える取付機構が好ましい。このような機構の場合には、電子機器の重さを支えるために、電子機器の両側面にレール状の溝を形成し、ブラケットの内側に形成した凸条を、前記溝に通すことによって、電子機器の重さを支えるように構成したものが、例えば特許文献１、２に開示されている。
【０００４】
特許文献１に記載の機器のブラケット取付装置は、ブラケットの機器本体への取付作業を容易にし、かつ機器全体の横幅寸法を小さくできる機器のブラケット取付装置を提供することを目的とするものであり、機器本体の両側面に形成した突条と、該突条にその長手方向に沿って形成した溝と、前記突条と連続するように前記両側面に前記突条の長手方向と略直角方向に形成されたリブと、前記溝に嵌合する係合片を両端部に有するコ字状のブラケットと、前記溝の内面及び該内面と対面するブラケットの外面とに形成された微少突部とを備えるものである。
【０００５】
特許文献２に記載のセット取付け装置は、車体に対し略筒状のブラケットを固定し、該ブラケットに車載用のセットを挿入して取付けるセット取付け装置において、該セットにはピンまたは凹部を有するロックレバーを設け、また該ブラケットには該ロックレバーのピンまたは凹部と係合する凹部またはピンを設け、前記凹部は、該凹部の弾性により前記ピンに係合する構造としたものである。
また、特許文献２には、従来技術として、車載用の無線機等のセットをブラケットに取り付ける構造に関し、セットの側部に形成された溝と、ブラケットの下端を嵌合させることによりセットの上下方向の動きを規制し、ブラケットの耳部とのセットの耳部とをネジ止めすることでセットの前後方向の動きを規制する構成が記載されている。
【０００６】
しかし、特許文献１に記載のものでは、ブラケットの前後方向への移動を完全に規制する構造ではないので、電子機器を確実に固定することはできない。
また、特許文献２に従来技術として記載された前記構成では、確かにネジを用いて確実に固定することができるようになるが、前記ネジを着脱するときにネジを落としてしまう危険性があり、また、作業に手間がかかり、電子機器本体を片手で持って作業をしなければならないので、安全性の問題が発生する。また、特許文献２の構造では、回動式のロックレバーや弾性的な係合構造が記載されているが、非常に複雑な構成となっている。
【先行技術文献】
【特許文献】
【０００７】
【特許文献１】特開平０５−１８５８７４号公報
【特許文献２】実公平０６−００１４８６号公報
【発明の概要】
【発明が解決しようとする課題】
【０００８】
そこで、本発明においては、簡易な構造でブラケットを確実に固定することを可能にするとともに、作業効率や安全性を向上することを目的としている。
【課題を解決するための手段】
【０００９】
本発明の請求項１に係るブラケット取付装置は、
機器本体を所定位置に取り付けるためにブラケットを用いる取付け装置において、
機器本体の両側面には横溝と、この溝に非平行な縦溝とを形成し、
ブラケットには、内側に凸出して横溝に挿通し得るレール状の凸条と、縦溝に挿入されて係合された係合状態と縦溝から引き抜かれた係合解除状態とに移動可能な縦溝係合部材とを設け、
機器本体をブラケットに固定するときには、ブラケットの凸条を機器本体の横溝に挿通した後、ブラケットの縦溝係合部材を、機器本体の縦溝に挿入して係合状態とし、
機器本体をブラケットから取り外すときには、ブラケットの縦溝係合部材を、機器本体の縦溝から引き抜いて係合解除状態とした後、ブラケットの凸条から機器本体の横溝を引き抜いて取り外すように構成したことを特徴としている。
請求項２では、
前記縦溝係合部材を前記縦溝に挿入した係合状態で固定する係合状態固定手段を備えている。
請求項３では、
前記縦溝係合部材は、縦溝に挿入されて係合された係合状態と縦溝から引き抜かれた係合解除状態とに横方向にスライド移動可能に設けられている。
請求項４では、
前記縦溝係合部材には、横長の長孔が設けられているとともに、前記長孔に挿入されて締め付けることによって前記縦溝係合部材を固定し、緩めることによって前記縦溝係合部材をスライド可能に支持するネジが備えられている。
【発明の効果】
【００１０】
本発明の請求項１に係るブラケット取付装置によれば、
機器本体をブラケットに固定するときには、ブラケットの凸条を機器本体の横溝に挿通した後、ブラケットの縦溝係合部材を、機器本体の縦溝に挿入して係合状態とし、
機器本体をブラケットから取り外すときには、ブラケットの縦溝係合部材を、機器本体の縦溝から引き抜いて係合解除状態とした後、ブラケットの凸条から機器本体の横溝を引き抜いて取り外すように構成したので、簡易な構造と簡単な手間で、機器本体を取付けたり、取り外したりすることができる。
請求項２によれば、
前記縦溝係合部材を前記縦溝に挿入した係合状態で固定する係合状態固定手段を備えたので、機器本体が動かないように確実な状態で取り付けることができる。
請求項３によれば、
前記縦溝係合部材は、縦溝に挿入されて係合された係合状態と縦溝から引き抜かれた係合解除状態とに横方向にスライド移動可能に設けられているので、横方向のスライド移動だけで、取り付けたり取り外したりできるようになり、作業効率や安全性が向上する。
請求項４によれば、
前記縦溝係合部材には長孔を設けネジで固定したり緩めたりするので、機器本体の取付け取り外しが、簡易な構造を用いて簡単な作業で可能となる。
【図面の簡単な説明】
【００１１】
【図１】本発明のブラケット取付装置を構成する機器とブラケットを説明する斜視図である。
【図２】前記ブラケットの斜視図である。
【図３】前記機器の一部の側面図である。
【図４】前記ブラケットの一部の正面図である。
【図５】前記ブラケット取付装置の使用状態を説明する一部斜視図である。
【発明を実施するための形態】
【００１２】
本発明にかかるブラケット取付装置は、
電子機器本体の両側面には横溝と、この溝に非平行な縦溝とを形成し、ブラケットには、内側に凸出して前記横溝に挿通し得るレール状の凸条と、前記縦溝に挿入されて係合された係合状態と縦溝から引き出されて係合解除状態とに移動可能な縦溝係合部材とを設けた形態である。
そして、電子機器をブラケットに固定するときには、ブラケットの凸条を電子機器の横溝に挿通した後、ブラケットの縦溝係合部材を、電子機器の縦溝に挿入して係合状態とし、電子機器をブラケットから取り外すときには、ブラケットの縦溝係合部材を、電子機器の縦溝から引き出して係合解除状態とした後、ブラケットの凸条から電子機器の横溝を引き抜いて取り外すように構成したものである。
【実施例１】
【００１３】
以下に、実施例１のブラケット取付装置Ａを、図１、２を参照して説明する。
１は例えば車載用無線通信機などの電子機器本体であり、ほぼ直方体の基本形状とされ、取付け状態において前面側となる一面には、操作ボタンや表示パネルなどが配設されており、取付け状態において左右の両側面となる面には、ブラケット５の凸条６、６が挿入される横溝２、２が両側面に沿って取付け状態においてほぼ水平方向となるように形成されている。この横溝２、２は直線状に形成されており、その深さは前記凸条に合わせて、例えば深さ１ミリ以上５ミリ以下程度で、幅は前記凸条を容易に挿入できるように十分な余裕を持った幅とされている。
【００１４】
前記前記電子機器本体１の両側面において、前記横溝２、２より前面側には、前記横溝２、２に直交する縦溝３、３が形成されている。この縦溝３、３は、前記横溝２、２に対して直交することに限定されるものではなく、また、直線状である必要もなく、非平行な部分があれば良い。
前記縦溝３、３は、例えば図１、３に示したように”Ｚ”字状とするか、もしくは”Ｌ”字状にしてもよい。
そして、前記電子機器本体１の取付け状態において背面側となる一面には、アンテナや電源ケーブルなどが接続し得るように構成されている。
【００１５】
ブラケット５は、前記電子機器本体１を所定の取付け位置に固定するためのものであり、図示しない固定手段で、乗用車のダッシュボードの下部などの所定の取付け位置に固定されるように構成されている。
ブラケット５は、上に開いた”コ”字状の断面形状を持ち、その内部空間に前記電子機器本体１を収納し得るように構成されている。
具体的には、前記ブラケット５の両側面には内側に突出した凸条６、６が形成されている。また、前記ブラケット５の両側面と底面には補強用のリブが形成されている。
さらに、前記ブラケット５の前面側の端部には、外側に突出した舌片７、７が形成されており、この舌片７、７には縦溝係合部材としての板状のスライド部材８、８が外側から内側方向にスライド可能に配設されている。スライド部材８、８の先端の形状も、縦溝３、３の形状に合わせた形状とする。例えば、縦溝３、３の形状を図１、３に示したように”Ｚ”字状とした場合には、スライド部材８、８の先端の形状も同様のＺ”字状とする。
以上に説明した電子機器本体１の横溝２、２と、縦溝３、３と、ブラケット５の凸条６、６と、スライド部材８、８によって、本発明に係るブラケット取付装置Ａが構成されている。
【００１６】
以下においては、前記スライド部材８、８の詳細構造を、一方のスライド部材８とその近傍のブラケット５の一部を図示した図４を参照して説明する。
スライド部材８には、それぞれ２つの横長の長孔８１、８１が設けられ、これらの長孔８１、８１に差し込んだネジ８２、８２を前記舌片７に設けたネジ孔にねじ込むことによって、前記ネジ８２、８２の頭部で前記長孔８１、８１の周囲を押さえて、当該スライド部材８を前記舌片７に固定し得るように構成されている。
前記長孔８１、８１の形状はカギ型に形成されており、図上横方向の横孔部分８１１、８１１と、図上縦方向の縦穴部分８１２、８１２とが連結された状態に形成されている。
【００１７】
このように、前記長孔８１、８１はカギ型に形成されているので、前記スライド部材８を外側にスライド移動させた図４の状態（スライド部材８と電子機器本体１の縦溝とは係合解除状態）で、電子機器本体１の横溝２、２に前記凸条６、６を差し込み、電子機器本体１を押し込んでスライドさせたあと、
図４に示したように、スライド部材８を矢印１のように外側から内側へスライド移動させて、図５に示したように、その先端を電子機器本体１の縦溝３に差し込む。その後、電子機器本体１を下方へ少し落としこむと、”Ｚ”字状の縦溝３と係合状態のスライド部材８は下方へ押し下げられて、ネジ８２が、長孔８１の縦穴部分８１２に嵌まった状態になり左右横方向にずれなくなる。この係合状態で、さらに前記ネジ８２を締め付けることにより、スライド部材８はブラケット５に確実に固定されるので、電子機器本体１もブラケット５に対して確実に固定される。また、縦溝３とスライド部材８の先端を”Ｚ”字状とすることによって、縦溝３は縦方向も横方向も規制されるので、電子機器本体１のぐらつきがなくなる。
なお、前記長孔８１とネジ８２とで、特許請求の範囲に記載された係合状態固定手段を構成している。
【００１８】
図５に示したような固定状態において、電子機器本体１の重量は主にブラケット５の凸条６、６と電子機器本体１の横溝２、２との係合によって支えられている。このとき、前記凸条６、６と横溝２、２との係合部分は、電子機器本体１の側面に沿った長い領域であるので、電子機器本体１の重量は広く分散されて確実に支えられるのである。
【００１９】
そして、スライド部材８、８をネジ８２でブラケット５に固定することにより、前記電子機器本体１の縦溝３、３には、奥へ押しこまれる力が加えられた状態となるので、電子機器本体１が前後方向へぐらつくなどの問題はなくなり確実にロックすることができる。
前記電子機器本体１の左右方向の動きは前記両側のスライド部材８、８で規制されるので、横方向のぐらつきもなくなり確実にロックすることができる。
以上のように、電子機器本体１のぐらつきを防ぐために、前記縦溝３、３の幅は、前記スライド部材８、８の先端の厚みに対して余裕があり過ぎると好ましくないので、出し入れ可能なぎりぎりの幅にすることが好ましい。
【００２０】
スライド部材８をスライド可能な状態に緩めたり、スライド不可能な状態にロックしたりする作業は、ネジ８２を緩めたり締め付けたりするだけで良く、ネジ８２を完全に取り外す必要はないので、ネジ８２を紛失する心配もない。
【００２１】
縦溝係合部材としては、横方向に平行移動するスライド部材に限らず、回転移動によって、縦溝に挿入されて係合された係合状態と縦溝から引き抜かれた係合解除状態とに移動可能な回転板を用いることも可能である。
【００２２】
このようにして、電子機器本体１はブラケット５を介して、所定の取付け位置に確実に固定できるので、本発明に係るブラケット取付装置は、車載用の無線通信機などに限らず、種々の機器を所定の取付け位置に固定するに適した取付け装置となる。
特に、機器本体１の固定作業や取り外し作業においては、ネジ８２を締めたり緩めたりする作業と、スライド部材８、８を外側から内側へスライドさせたり内側から外側へスライドさせたりする正面側からの作業だけでよいので、従来のように、ブラケットの両側面方向からドライバを操作するというような作業が不要となり、狭いスペースであっても、作業効率や安全性が向上するとともに、簡易な構造でブラケットを確実に固定することが可能になるので、低コストで機能に優れた取付け装置を提供することができる。
【産業上の利用可能性】
【００２３】
本発明は、車載用の無線通信機などの電子機器に限らず、種々の機器にも適用できる。
【符号の説明】
【００２４】
Ａ  ブラケット取付装置
１  電子機器本体、機器本体
２  横溝
３  縦溝
５  ブラケット
６  凸条
７  舌片
８  縦溝係合部材、スライド部材
８１  長孔
８１１  横穴部分
８１２  縦穴部分
８２  ネジ
【図１】
2011027170.tif 000003
【図２】
2011027170.tif 000004
【図３】
2011027170.tif 000005
【図４】
2011027170.tif 000006
【図５】
2011027170.tif 000007